(57)【要約】【課題】ミスコンバーゼンス補正残量の少ない偏向ヨーク装置を得る。【解決手段】垂直偏向コイル１３をピンクッション磁界発生用の第１のコイル部１５とバレル磁界発生用の第２のコイル部１６の２対２組のコイルに分割して、コア１２に対してトロイダル巻に巻回する。第１のコイル部１５に互いに逆極性に並列接続した２個のダイオード２４，２５を直列接続し、画面の中央領域で、ダイオード２４，２５をオフさせてピンクッション磁界の発生を抑制し、バレル磁界を強調する。さらに第２のコイル部１６の巻回領域を、画面Ｘ軸に対して５０°を越えないように設定する。【選択図】      図１
2004296257.tif 000002
【特許請求の範囲】
【請求項１】
インライン型電子銃を備えたカラー陰極線管に装着される偏向ヨークの垂直偏向コイルが、前記カラー陰極線管画面の水平軸方向内側において前記カラー陰極線菅画面の垂直軸方向に対向するように配設される１対のコイルでなる第１のコイル部と、前記カラー陰極線管画面の水平軸方向の前記第１のコイル部よりも外側において当該水平軸方向に対向するように配設される１対のコイルでなる第２のコイル部と、に分割されてそれぞれコアにトロイダル巻回されて形成されると共に、前記第２のコイル部分の巻回範囲が前記カラー陰極線管画面の水平軸に対して略５０゜以内に設定されていることを特徴とする偏向ヨーク装置。
【請求項２】
前記第１のコイル部と第２のコイル部は、それぞれのコイル対が直列接続され、さらに前記第１のコイル部に互いに逆極性に並列接続された２個のダイオードが直列接続され、前記第１のコイル部と前記ダイオードとの直列接続と、前記第２のコイル部が並列接続されてなることを特徴とする請求項１に記載の偏向ヨーク装置。
【請求項３】
前記第２のコイル部分の巻回領域の境界が前記カラー陰極線管画面の水平軸に対して略４７°〜５０°の範囲にあることを特徴とする請求項１に記載の偏向ヨーク装置。
【請求項４】
前記第１のコイル部と第２のコイル部の、前記コアに対する巻回領域の間にコイルが巻回されない領域が存在するものであることを特徴とする請求項１乃至３のいずれかに記載の偏向ヨーク装置。
【請求項５】
インライン型電子銃を備えたカラー陰極線管に装着される偏向ヨークの垂直偏向コイルが、ピンクッション磁界発生用のコイル部分と、バレル磁界発生用のコイル部分との少なくとも２対２組のコイル部分にトロイダル巻きでコアに分割巻回されると共に、前記バレル磁界発生用のコイル部分の巻回領域が前記カラー陰極線管画面の水平軸に対して略５０°以内に設定されていることを特徴とする偏向ヨーク装置。
【請求項６】
前記ピンクッション磁界発生用のコイル部とバレル磁界発生用のコイル部は、それぞれのコイル対が直列接続され、さらに前記ピンクッション磁界発生用のコイル部に、互いに逆極性に並列接続された２個のダイオードが直列接続され、前記ピンクッション磁界発生用のコイル部と前記ダイオードとの直列接続と、前記バレル磁界発生用のコイル部が並列接続されてなることを特徴とする請求項５に記載の偏向ヨーク装置。
【請求項７】
前記バレル磁界発生用のコイル部分の巻回領域の境界が前記カラー陰極線管画面の水平軸に対して４７〜５０°の範囲にあることを特徴とする請求項５に記載の偏向ヨーク装置。
【請求項８】
前記ピンクッション磁界発生用のコイル部とバレル磁界発生用のコイル部の、前記コアに対する巻回領域の間にコイルが巻回されない領域が存在するものであることを特徴とする請求項５に記載の偏向ヨーク装置。
【請求項９】
さらに前記垂直偏向コイルが巻回されたコアの内側に、サドル巻水平偏向コイルが配設されてなることを特徴とする請求項１乃至８のいずれかに記載の偏向ヨーク装置。
【発明の詳細な説明】
【０００１】
【発明の属する技術分野】
本発明は、インライン型電子銃を備えたカラー陰極線管用偏向ヨーク装置に関し、特に垂直偏向コイルを、本来の垂直偏向のための磁界を発生する機能の他に、ピンクッション磁界発生機能を有するコイル部とバレル磁界発生機能を有するコイル部の２組に分割して構成し、それら磁界によってコンバーゼンスを補正するようにした垂直偏向コイルを備えた偏向ヨーク装置に関する。
【０００２】
【従来の技術】
インライン型電子銃を備えたカラー陰極線管に適用される偏向ヨーク装置は、例えば図８に示すように構成されており、コイルセパレータ８１の外側に、垂直偏向コイル８２がトロイダル巻に巻回されたコア８３が配設され、コイルセパレータ８１の内部に、サドル巻に巻回された水平偏向コイル８４が配設されている。コイルセパレータ８１の端部は、複数の片に分割されており、偏向ヨーク装置８０は、その部分で図示しないカラー陰極線管のネック部に、取り付けバンド８５によって取り付けられる。
【０００３】
このような偏向ヨーク装置８０でインライン型電子銃を備えたカラー陰極線管の電子ビームを偏向した場合、一般的に図９に示すような傾向のミスコンバーゼンスが発生する。
すなわち、画面中央部領域１の画面上側において、赤電子ビーム（Ｒ）の画面照射位置（以下単にＲと略称する）が右方向に回転して、青電子ビーム（Ｂ）の画面照射位置（以下単にＢと略称する）に対して、画面右の領域では、画面垂直中心軸（Ｙ軸）から離れるにしたがって画面水平中心軸（Ｘ軸）に近づき、画面左領域では、逆にＢに対してＹ軸から離れるにしたがってＸ軸から離れる方向に変移し、また、画面中間部領域１の画面下側において、Ｂが右方向に回転して、Ｒに対して、画面右の領域では、Ｙ軸から離れるにしたがってＸ軸から離れ、画面左領域では、逆にＲに対してＹ軸から離れるにしたがってＸ軸に近づく方向に変移するいわゆる正のクロスが発生する。
【０００４】
さらにまた、画面端部の領域２では、画面上端側でＢが右回転し、画面下端側で、Ｒが右回転するいわゆる負のクロスが発生する。
このように、画面の中央部領域と端部領域で、ＲとＢのクロスの方向が逆になっているために、それを補正することは容易ではなく、従来から種々の提案がなされている。
例えば、特許文献１には、水平磁界中間部をバレル傾向にすることで、特に領域１の正のクロスを改善し、さらに水平偏向コイルあるいは垂直偏向コイルの少なくとも一方において、水平軸Ｘから約３５°傾斜した角度範囲（画面のコーナ付近に対応）に巻線が施されない中抜き部分を設けて、特に領域２における負のクロス量を改善することが示されている。
【０００５】
すなわち、図１０に示すように、水平磁界の中間部分をバレル傾向にした場合、画面の第１象限では、ＲがＢに対して、より画面上方向（＋Ｙ方向）の力（ローレンツ力）を受け、第４象限ではＲがＢに対して、より画面下方向（−Ｙ方向）の力を受ける。さらに、第２象限では、ＢがＲに対して、より＋Ｙ方向の力を受け、第３象限ではＢがＲに対して、より−Ｙ方向の力を受ける。その現象は、領域１において顕著に現れ、結局、領域１の正クロスミスコンバーゼンスが改善されるようになる。
【０００６】
また、垂直偏向コイルにおいて、水平軸Ｘから約３５゜傾斜した角度範囲に巻線が施されない中抜き部分を設けると、図１１に示すように、画面の第１及び第４象限では、ＢビームがＦＢ＞ＦＲの力を受け、画面の第２及び第３象限では、ＲビームがＦＲ＞ＦＢの力を受ける。その現象は、領域２において顕著に現れ、結果、領域２の負クロスミスコンバーゼンスが改善されることになる。
【０００７】
しかしながら、そのような内容の提案は磁界分布を妥協的に調整するものにすぎず、正負クロスミスコンバーゼンスを完全に除去し得るものではない。そこで、さらにこの特許文献１では、垂直偏向コイルを、Ｘ軸に対して０〜６０°の角度範囲に巻回したバレル磁界を発生するコイル部分と、６０〜９０°の角度範囲に巻回したピンクッション磁界を発生するコイル部分との２対２組に分割して構成し、さらにピンクッション磁界を発生するコイル部分に、逆極性に並列接続された２個のダイオードを直列接続して、垂直偏向コイルに供給される信号電圧値によってダイオードをオンあるいはオフさせるように構成している。
【０００８】
垂直偏向コイルに供給される電圧は、偏向開始点（画面上端）で高く、画面中央に向かって徐々に低くなって中央でゼロとなり、その後極性が反転して、徐々に高くなり、偏向終了点（画面下端）では開始点に対して逆極性で略同じ値の電圧が供給される。
【０００９】
したがって、画面中央付近ではダイオードがオフとなって、ピンクッション磁界の発生が抑制され、バレル磁界を発生するコイル部分の作用が主体となり、バレル磁界が強調されるようになる。その結果、画面中央部（領域１）での正クロスミスコンバーゼンスが改善される。また、画面の上下端部においては、ダイオードがオンとなり、ピンクッション磁界を発生するコイル部分も作用して、画面上下端部（領域２）の負クロスミスコンバーゼンスが改善される。
【００１０】
従来、以上のような、正負クロスミスコンバーゼンスを改善する提案がなされており、それなりの効果は得られるが、その技術を昨今主流となっているフラットブラウン管用の偏向ヨークに適用した場合、ミスコンバーゼンスを充分に除去することができず、とくに画面領域１においてミスコンバーゼンスの補正残りが発生してしまうという問題があった。
【００１１】
【特許文献１】
特開平１−２２５０４５号公報（第１頁〜第５頁、図１，２，６）
【００１２】
【発明が解決しようとする課題】
以上のように、従来の偏向ヨーク装置は、コンバーゼンス補正残りが生ずることがあり改善の余地があった。
本発明は、以上の点に対処してなされたものであり、垂直偏向コイルを２対２組のトロイダル分割巻コイルで構成し、さらに、バレル磁界を発生するコイル部分の巻回範囲をＸ軸に対して５０°以内に収めるようにすることで、正負クロスミスコンバーゼンスを大きな補正残りを発生させることなく的確に補正することを可能にした偏向ヨーク装置を提供することを目的とする。
【００１３】
【課題を解決するための手段】
本発明の偏向ヨーク装置は、インライン型電子銃を備えたカラー陰極線管に装着される偏向ヨークの垂直偏向コイルが、前記カラー陰極線管画面の水平軸方向内側において前記カラー陰極線菅画面の垂直軸方向に対向するように配設される１対のコイルでなる第１のコイル部と、前記カラー陰極線管画面の水平軸方向の前記第１のコイル部よりも外側において、当該水平軸方向に対向するように配設される１対のコイルでなる第２のコイル部とに分割されてそれぞれコアにトロイダル巻回されて形成されると共に前記第２のコイル部分の巻回範囲が前記カラー陰極線管画面の水平軸に対して略５０゜以内に設定されていることを特徴とする。
【００１４】
本発明によれば、画面中央領域の正クロスミスコンバーゼンスを充分に除去することができる。
本発明の偏向ヨーク装置は、インライン型電子銃を備えたカラー陰極線管に装着される偏向ヨークの垂直偏向コイルが、ピンクッション磁界発生用のコイル部分と、バレル磁界発生用のコイル部分との少なくとも２対２組のコイル部分にトロイダル巻きでコアに分割巻回されると共に、前記バレル磁界発生用のコイル部分の巻回領域が前記カラー陰極線管画面の水平軸に対して略５０°以内に設定されていることを特徴とする。
【００１５】
本発明によれば、画面中央領域の正クロスミスコンバーゼンスを充分に除去することができる。
【００１６】
【発明の実施の形態】
以下、図面を参照しながら本発明の実施の形態を詳細に説明する。
図１は、本発明の偏向ヨーク装置１０を、カラー陰極線管の電子ビーム照射方向に対して交わる方向に切断した断面図で示すものである。
すなわち、コイルセパレータ１１の外側に、垂直偏向コイル用の環状のコア１２が配設され、コア１２に垂直偏向コイル１３がトロイダル巻に巻回されている。さらにコイルセパレータ１１内側にはサドル巻に巻回された水平偏向コイル１４が配設されている。
【００１７】
垂直偏向コイル１３は、画面のＸ軸を間にして対向するようにコア１２に巻回された１対のコイルでなる第１のコイル部（内側コイル部）１５と、画面のＹ軸を間にして対向するようにコア１２に巻回された１対のコイルでなる第２のコイル部（外側コイル部）１６とで構成され、第２のコイル部１６は、Ｘ軸に対して５０°を越えない領域に巻回されている。
【００１８】
図２は、図１に示す偏向ヨーク装置１０の垂直偏向コイル１３の結線状態を示す回路図である。図において、図１と同じ部分に同じ符号を付す。
図２において、端子２１に、第１のコイル部１５を構成する一対のコイル１５ａ，１５ｂが直列に接続され、さらに各コイル１５ａ，１５ｂと並列に抵抗２２，２３がそれぞれ接続されている。また、コイル１５ｂの、コイル１５ａとの接続点とは反対側の端には、互いにアノードとカソードが接続された２個のダイオード２４，２５の２つの接続点のうちの一方の接続点が接続されている。すなわち互いに逆極性に並列に接続された２個のダイオード２４，２５がコイル１５ｂと直列に接続されている。さらにダイオード２４，２５と並列に、抵抗２６が接続されている。
【００１９】
端子２１には、さらに第２のコイル部１６を構成する一対のコイル１６ａ，１６ｂが直列に接続され、各コイル１６ａと１６ｂに対して、それぞれ抵抗２７，２８が並列に接続されている。
ダイオード２４，２５のコイル１５ｂとの接続点とは反対側の接続点と、第２のコイル部１６におけるコイル１６ｂの、コイル１６ａとの接続点とは反対側の端とが接続され、その接続点がダイオード２９のアノードとダイオード３０のカソードに共通に接続されている。
【００２０】
ダイオード２９とダイオード３０には、それぞれ並列に抵抗３１，３２が接続され、さらにダイオード２９のカソードとダイオード３０のアノードには、それぞれ垂直等方性非点収差補正コイル３３、３４が接続され、各垂直等方性非点収差補正コイル３３，３４のダイオード２９，３０との接続点とは反対側の端は共通に接続されている。
【００２１】
垂直等方性非点収差補正コイル３３，３４の共通接続点は、２つの垂直コマ収差補正コイル３５，３６を直列に介して端子３７に接続されている。
端子２１と端子３７間には、垂直偏向電圧が供給されるもので、端子２１には、垂直偏向の前半（画面上側）では、その開始点が最も高く、画面中央にかけて徐々に減少し最終的にゼロ（基準電位）になる電圧が供給される。その際、端子３７は基準電位点に接続され、偏向電流は、端子２１から端子３７方向に流れる。したがって、端子２１はいわゆる（Ｈｉｇｈ）端子である。
【００２２】
垂直偏向の後半（画面下側）では、その開始点が基準電位で最も低く、画面下端で最も高くなるように変化する電圧が端子３７に供給される。その際、端子２１は基準電位点に接続され、偏向電流は端子３７から端子２１に向かって流れる。したがって、端子３７はいわゆる（Ｌｏｗ）端子である。
【００２３】
垂直等方性非点収差補正コイル３３，３４は、カラー陰極線管画面のＹ軸上に発生する垂直等方性非点収差を補正するもので、偏向ヨーク装置１０のカラー陰極線管のネック部側の開口部付近にコイルセパレータを介して取り付けられる。
垂直等方性非点収差とは、図３（ａ）（ｂ）に示すように、画面Ｙ軸の端部において、Ｂ及びＲがＸ軸方向に互いに離れるように生ずるコンバーゼンスずれであり、垂直等方性非点収差補正コイル３３，３４で発生される磁界によって補正されるものである。すなわち、画面端部（領域２）付近では、偏向電圧が高いため、ダイオード２９，３０がオンとなり、コイル３３，３４に流れる電流が増加するため、垂直等方性非点収差補正コイル３３，３４から発生される磁界も強くなり、垂直等方性非点収差が修正されるように作用する。その結果、図３（ｃ）に示すようにＢとＧがＹ軸上で略一致するようになる。
【００２４】
また、垂直コマ収差補正コイル３５，３６は、カラー陰極線管画面のＸ軸上に発生する垂直コマ収差を補正するもので、偏向ヨーク装置１０のカラー陰極線管のネック部側の開口部付近にコイルセパレータを介して取り付けられており、ピンクッション磁界を発生するように作用する。
【００２５】
垂直コマ収差とは、図４（ａ）に示すように、Ｒ，Ｂに対して緑の電子ビーム（以下Ｇと略称する）がＹ軸方向内側に位置するように生ずるコンバーゼンスずれであり、垂直コマ収差補正コイル３５，３６で発生されるピンクッション磁界によって、それが補正され、図４（ｂ）に示すように、ＧがＢとＲに略一致するようになる。
【００２６】
次に、本発明を構成する垂直偏向コイル１３について、詳細に説明する。今、図２の回路の端子２１と端子３７との間に、図５（ａ）に示す波形の垂直偏向電圧を供給すると、端子２１と端子３７との間に図５（ｂ）に示す電流が流れる。
図５（ａ）において、Ｖ１と−Ｖ１は、それ以上高い電圧及びそれ以下の低い電圧でダイオード２４，２５が導通してオンとなり、Ｖ１と−Ｖ１の間の電圧（期間ｔ１）では、ダイオード２４，２５が非道通となってオフするものである。
図５（ｂ）に示す電流は、垂直偏向コイル１３を構成する第１のコイル部１５と第２のコイル部１６を流れる電流の総計であり、第１のコイル部１５に直列に接続されたダイオード２４，２５の働きにより、第１のコイル部１５と第２のコイル部１６には、非対称の電流が流れることになる。
【００２７】
すなわち、図５（ａ）のｔ１期間において、ダイオード２４，２５が非導通になるため、第１のコイル部分１５においては、図５（ｃ）に示すようにその期間で電流がほとんど流れず、偏向電流はもっぱら第２のコイル部分１６を流れることになる。
【００２８】
また、ｔ１期間以外においては、垂直偏向電流は図５（ｄ）に示す第２のコイル部１６に流れる電流分と、図５（ｃ）に示す第１のコイル部１５に流れる電流分を足し合わせたものとなる。
ダイオード２４，２５がオフとなる期間ｔ１においては、ピンクッション磁界を発生する第１のコイル部１５に電流が流れないため、第２のコイル部１６によって発生されるバレル磁界が強調されることになり、画面中央部分（領域１）における正クロスミスコンバーゼンスが補正されることになる。
【００２９】
また、期間ｔ１以外においては、ダイオード２４，２５がオンになるため、第１のコイル部１５によって生成されるピンクッション磁界によって、画面の上下端部分（領域２）における負クロスミスコンバーゼンスが補正されるものである。さらに、本発明では、第２のコイル部１６の巻線巻回領域をＸ軸に対して５０°を越えない範囲に設定するようにしたものであり、その効果について図６及び図７を参照して詳細に説明する。
図６は、第２のコイル部１６の巻線巻回領域のＸ軸に対する角度と、ミスコンバーゼンス量を特定するために一般的に用いられる各種パラメータの関係を実験によって求めて示すものである。
すなわち、第２のコイル部１６のＸ軸に対する巻回領域の角度を、５４°、５０°及び４７°した際に、ＸＨ、ＹＨ、ＰＱＨ、ＰＱＶ、Ｔ、Ｓ３、Ｂ３、Ｓ３−ＰＱＶ及びＢ３−ＰＱＨの各値を測定して表に纏めたものである。なお、ＸＨ〜Ｂ３−ＰＱＨがそれぞれいかなるものであるかについて、図７を用いて説明しておく。図７では、Ｒを○で示し、Ｂを×で示している。
【００３０】
ＹＨは、Ｙ軸上の水平方向のＲとＢのずれを示すもので、ＲがＢに対して左側に位置する状態を＋（プラス）で表し、数値はずれ量を示す。図７においては、Ｒが左に位置しているので、＋パターンであることを示している。なお、図７において、水平方向のずれは、各象限共通にＲがＢの左に位置している状態が＋であり、垂直方向のずれについては、第１、第３象限では、ＢがＲに対して垂直方向上側にあるのが＋で、第２、第４象限では、逆にＲがＢに対して垂直方向上側にあるのが＋である。
【００３１】
ＸＨは、Ｘ軸上の水平方向のＲとＢのずれを示すもので、ＰＱＨは、画面コーナ部におけるＲとＢの水平方向のずれを表し、ＰＱＶは、同じく画面コーナ部におけるＲとＢの垂直方向のずれを表す。また、Ｔはトリレンマを表すものであり、Ｔ＝ＰＱＶ＋ＸＨ−ＹＨなる式で表すことができる。さらにＳ３は、画面上側あるいは下側のＹ軸方向中央部付近におけるＲとＢの垂直方向のずれであり、Ｂ３は同じく画面上側あるいは下側のＹ軸方向中央部付近におけるＲとＢの水平方向のずれである。さらに、Ｓ３−ＰＱＶは、Ｓ３とＰＶＱ間の差の絶対値を示し、Ｂ３−ＰＱＨはＢ３とＰＱＨ間の差の絶対値を示す。
【００３２】
以上ような、各パラメータは、偏向ヨーク装置のミスコンバーゼンスの状況を特定するために一般的に用いられているものである。
さて、今、ＸＨ及びＹＨの値を＋１．０に設定した際に、第２のコイル部１６の巻回範囲を画面Ｘ軸に対して５４°に設定した場合には、ＰＱＨが＋０．３０、ＰＱＶが−０．３０で、Ｔが−０．３０となっている。また、Ｓ３が＋０．７０、Ｂ３が＋０．８０で、Ｓ３−ＰＱＶとＢ３−ＰＱＨがそれぞれ１．００と０．５０となっている。
【００３３】
これら数値は、小さいほどＲとＢのずれが小さいことを示しており、それだけコンバーゼンスずれ残量が少ないことを示している。
次に、巻回範囲を５０°に設定すると、ＸＨとＹＨを＋０．１０とした場合、ＰＱＨが＋０．２０で、ＰＱＶが−０．３０、Ｔが−０．３０でＳ３とＢ３がそれぞれ＋０．３０ｓと＋０．２０であり、Ｓ３−ＰＱＶとＢ３−ＰＱＨがそれぞれ０．６５と０．００になっている。
【００３４】
第２のコイル部１６の巻線巻回領域をＸ軸に対して５０°に設定した場合、５４°とした場合に比べて、悪化している項目なく、全般を通して改善が見られ、特にＳ３、Ｂ３、Ｓ３−ＰＱＶとＢ３−ＰＱＨにおいては著しく改善されていることが明確に表れている。
【００３５】
さらに、巻回領域を画面Ｘ軸に対して４７°に設定して、ＸＨとＹＨを＋０．１０とした場合、ＰＱＨとＰＱＶが＋０．１０と−０．２５であり、Ｔ、Ｓ３、Ｂ３がそれぞれ−０．２５、＋０．２５、＋０．０５であり、Ｓ３−ＰＱＶとＢ３−ＰＱＨがそれぞれ０．５０と０．０５になっている。
【００３６】
この、４７°においては、５０°に設定した場合と比較すると、Ｂ３−ＰＱＨで若干悪化しているものの、他の項目では全て改善されており、実用上何ら問題ない程度のミスコンバーゼンス残量しか生じていないことが明白に表れている。
第２のコイル部１６の巻回領域がＸ軸に対して５０°を越えた場合、第２のコイル部１６で生成されるバレル磁界が弱くなって、Ｓ３、Ｂ３、Ｓ３−ＰＱＶ及びＢ３−ＰＱＨが悪化することが予測される。
これに対して、巻回領域が５０°、４７では、Ｓ３、Ｂ３、Ｓ３−ＰＱＶ及びＢ３−ＰＱＨが著しく改善されていることが明白である。
結局、最終評価として、５４°では劣で実際に偏向ヨークとして構成するには適当でなく、５０°では良で、４７°では優となりいずれも実際に偏向ヨークとして構成した場合、実用に絶えられるものとなっている。
以上のように、本発明の偏向ヨーク装置においては、垂直偏向コイルを、ピンクッション磁界を発生するコイル部とバレル磁界を発生するコイル部の２対２組のコイル部に分割してそれぞれコアにトロイダル巻回するようにし、ピンクッション磁界を発生するコイル部に流れる電流を、画面の中央部を偏向するタイミングで抑制させることで、その抑制期間にバレル磁界を強調するようにし、さらにバレル磁界を発生するコイル部の巻回領域をＸ軸に対して５０°を越えないようにしたので、ミスコンバーゼンスの補正残留量を極めて少なくすることができる偏向ヨーク装置を得ることができるものである。
【００３７】
【発明の効果】
以上のように、本発明の偏向ヨーク装置においては、垂直偏向コイルを、ピンクッション磁界を発生するコイル部とバレル磁界を発生するコイル部の２対２組のコイル部に分割してそれぞれコアにトロイダル巻回するようにし、ピンクッション磁界を発生するコイル部を、ダイオードでスイッチングして、画面中央部付近の領域おいて、バレル磁界を強調するようにし、さらにバレル磁界を発生するコイル部の巻回領域をＸ軸に対して５０°を越えないようにしたので、ミスコンバーゼンスの補正残留量を極めて少なくすることができるものである。
【図面の簡単な説明】
【図１】本発明に係る偏向ヨーク装置の断面図。
【図２】図１に示す偏向ヨーク装置の一実施の形態の回路構成を示す回路図。
【図３】図２に示す回路の動作を説明するための図。
【図４】図２に示す回路の動作を説明するための図。
【図５】図２に示す回路の動作を説明するための図。
【図６】本発明の偏向ヨーク装置のミスコンバーゼンス補正残量を説明するための図。
【図７】図６に示すミスコンバーゼンス補正残量を説明するための図。
【図８】一般的な偏向ヨーク装置の構成を示す図。
【図９】インライン電子銃を備えたカラー陰極線管のミスコンバーゼンスを説明するための図。
【図１０】従来の偏向ヨーク装置において、コンバーゼンスを補正する過程を説明するための図。
【図１１】従来の偏向ヨーク装置において、コンバーゼンスを補正する過程を説明するための図。
【符号の説明】
１０…偏向ヨーク装置
１１…コイルセパレータ
１２…コア
１３…垂直偏向コイル
１４…水平偏向コイル
１５…第１のコイル部
１６…第２のコイル部
２１…端子（Ｈｉｇｈ）
２２，２３…抵抗
２４，２５…ピンクッション磁界切換え用ダイオード
２６，２７，２８…抵抗
２９，３０…垂直等方性収差補正用切換えダイオード
３１，３２…抵抗
３３，３４…垂直等方性収差補正コイル
３５，３６…垂直コマ収差補正コイル
３７…端子（Ｌｏｗ）
【図１】
2004296257.tif 000003
【図２】
2004296257.tif 000004
【図３】
2004296257.tif 000005
【図４】
2004296257.tif 000006
【図５】
2004296257.tif 000007
【図６】
2004296257.tif 000008
【図７】
2004296257.tif 000009
【図８】
2004296257.tif 000010
【図９】
2004296257.tif 000011
【図１０】
2004296257.tif 000012
【図１１】
2004296257.tif 000013